(57)【特許請求の範囲】
【請求項１】
リールハブの外周に磁気テープを巻装した単一のリールがカートリッジケース内に回転可能に収容され、前記リールハブの内部に、非使用時に前記リールをロックして該リールの回転を禁止するロック部材が、ロック位置とロック解除位置との間で軸線方向に移動可能に設けられるとともに、該ロック部材との係合によって、前記ロック部材の軸線周りの回動と、該ロック部材の傾きとを規制する規制部材が前記カートリッジケースの内壁面に設けられてなる磁気テープカートリッジにおいて、
前記ロック部材が前記規制部材を係入させる十字状溝を形成する係合壁部を備え、該係合壁部は、十字状溝の四方に延びる各枝部内面の垂直面で形成された先端壁面および側壁面と、十字状溝の中心部における４個の枝部の間に、該ロック部材の軸線を中心にした円筒面の一部で形成された４個の内壁面とを備え、
一方、前記規制部材が、前記ロック部材の前記４個の内壁面内に嵌入し得る円筒体と、
該円筒体から四方に十字状に延出し、先端に前記十字状溝の前記先端壁面に対向する壁面と、前記十字状溝の前記側壁面に対向する壁面とをそれぞれ有する４個のリブとを備え、
前記規制部材の前記円筒体の外周面が前記ロック部材の前記内壁面に係合し、前記規制部材の前記各壁面が前記ロック部材の前記先端壁面および側壁面に係合することを特徴とする磁気テープカートリッジ。
【発明の詳細な説明】
【０００１】
【発明の属する技術分野】
本発明は、磁気テープカートリッジに関し、特に、磁気テープを巻装した単一のリールがカートリッジケース内に回転可能に収容され、かつ非不使用時に上記リールをロック状態とするリールロック機構がリールハブ内に設けられてなる磁気テープカートリッジに関するものである。
【０００２】
【従来の技術】
従来、コンピュータ等の外部記憶装置に用いられる記録媒体として使用されている磁気テープカートリッジとして、単一のリールに磁気テープを巻装し、このリールをカートリッジケース内に回転可能に収容したタイプのものが知られている。
【０００３】
この種の磁気テープカートリッジは、１個のリールしか備えていないので、カートリッジの落下等による衝撃で磁気テープが弛んだ場合、それを吸収することができず、磁気テープに傷がついたりする欠点があった。
【０００４】
そこで、非使用時にはリールをロックしてリールの回転を禁止するロック部材が、ロック位置とロック解除位置との間で軸線方向に沿って移動可能に設けられるとともに、カートリッジケースの内壁面に、上記ロック部材の軸線方向の移動は許容するがロック部材の上記軸線周りの回動は規制する態様でロック部材と係合する規制部材が突設されている。
【０００５】
また、上記ロック部材はロック歯を備え、非使用時にこのロック歯が、リール側のロック歯と噛合してリールの回転を強制的にロックし、これにより、カートリッジの落下等による衝撃で磁気テープが巻き締まったり、弛んだりしないように構成されている。
【０００６】
図５（ａ），（ｂ）は、ロック部材の一例構成を示す平面図およびその断面図であり、図５（ｃ），（ｄ）は図５（ａ），（ｂ）に示すロック部材４と係合してこのロック部材４の回動およびその傾きを規制するために従来の磁気テープカートリッジが備えている規制部材３３の底面図およびその断面図である。また図５（ｅ）はロック部材４と規制部材３３との係合状態を規制部材３３を断面として示す平面図である。
【０００７】
なお、後述する本発明の実施の形態においても、図５（ａ），（ｂ）に示したロック部材４を用い、規制部材３３のみを本発明により改良された構成を採用しているので、磁気テープカートリッジの全体構成およびロック部材４の動作等に関する詳細説明は後述に譲り、ここでは、後述する実施の形態と同様の符号を各部材に付して、要部のみの説明にとどめる。
【０００８】
軸線Ｌの周りに円盤状に形成された合成樹脂材料からなるロック部材４は、その円盤部４１の下面外周に沿って、かつ外周側の歯丈が高くなるように円環状に刻設されたロック歯４２を備えている。このロック歯４２は、ロック部材４がロック位置に移動するのに伴ってリール側のロック歯に噛合してリールをロックするために設けられている。また、円盤部４１の下面中心部は凸面状に突出して、後述する解除部材６に対する摺接部４１ａを形成している。
【０００９】
ロック部材４の円盤部４１の上面には規制部材３３に対する係合壁部４４が突設され、この係合壁部４４は、規制部材３３を上方から係入させる十字状の平面形状を有する溝４５を形成している。この十字状溝４５の四方に延びる各枝部の内壁面は、軸線Ｌと略平行な垂直面を形成しており、軸線Ｌを中心とする円弧状の平面形状を有する先端壁面４４ａと、互いに略平行な側壁面４４ｂ，４４ｂとを備えている。また、十字状溝４５の中心部には、軸線Ｌを中心にした円筒面の一部を形成する互いに分離した４個の壁面４４ｃがそれぞれ隣接枝部間に存在している。
【００１０】
さらに、円盤部４１の上面には、円盤部４１と同心的な突縁４７が係合壁部４４を取り囲んで形成され、この突縁４７と係合壁部４４との間が、ロック部材４を下方へ付勢するコイルスプリングの受け面となっている。
【００１１】
一方、図５（ｃ），（ｄ）に示すように、カートリッジケースの上ケース３１の下面には、上記ロック部材４の十字状溝４５の４個の枝部にそれぞれ係入し得る４個の互いに独立した規制部材３３が垂設されている。各規制部材３３は、ロック部材４の十字状溝４５の先端壁面４４ａに対向する略垂直な壁面３３ａと、十字状溝４５の側壁面４４ｂ，４４ｂにそれぞれ対向する略垂直な壁面３３ｂ，３３ｂとを備えて十字状の平面形状を有する。
【００１２】
各規制部材３３の壁面３３ａは、図５（ｅ）におけるＡ点でロック部材４の十字状溝４５の先端壁面４４ａと係合して、ロック部材４の傾くのを規制し、規制部材３３の壁面３３ｂ，３３ｂは、図５（ｅ）におけるＢ点およびＣ点で十字状溝４５の枝部側壁面４４ｂ，４４ｂと係合して、ロック部材４の軸線Ｌ周りの回動を規制するように構成されている。
【００１３】
なお、本明細書において、ロック部材４の傾きとは、ロック部材４の軸線Ｌのリールの軸線に対する傾きを意味する。
【００１４】
さらに４個の規制部材３３の周囲には、ロック部材４の突縁４７と略同径の突縁３４が環状に形成され、この突縁３４の内方が、ロック部材４を下方へ付勢するコイルスプリングの受け面となっている。
【００１５】
ロック部材４の下方には、リールと一体に回転してドライブ側回転駆動手段のチャッキング動作に応じて上方へ移動して、ロック部材４を上方のロック解除位置に移動させる後述する解除部材６が設けられ、ロック部材４のロック解除位置への移動に伴って、ロック部材４のロック歯４２がリールのロック歯から離れてリールが自由に回転し得るように構成されている。
【００１６】
【発明が解決しようとする課題】
ところで、上記ロック部材４がロック解除位置にあるときには、その底面中心部に膨出している摺接部４１ａが解除部材６に摺接して保持されているだけであるから不安定であり、傾き易い。ロック解除位置においてロック部材４が傾くと、ロック部材４の底面に環設されているロック歯４２が、回転しているリールのロック歯に接触し異音を発生するとともに、リールの回転を阻害し、磁気テープの安定したロード／アンロード動作に支障を来すという問題を生じる。
【００１７】
そこで、上述のように、各規制部材３３の壁面３３ａが、図５（ｅ）におけるＡ点でロック部材４の十字状溝４５の先端壁面４４ａと係合して、ロック部材４の傾きを規制しているが、規制部材３３が図５（ａ）の上下方向および左右方向に十字状に配列されているために、図５（ａ）の上下および左右方向に延びる垂直面内でのロック部材４の傾きに対する規制は可能であっても、図５（ａ）における斜め４５°の方向の垂直面内でのロック部材４の傾きに対しては規制効果を発揮しにくいという欠点があった。
【００１８】
上述の事情に鑑み、本発明はロック部材の略全方向の傾きを規制することが可能な規制部材を備えたに磁気テープカートリッジを提供することを目的とするものである。
【００１９】
【課題を解決するための手段】
本発明は、リールハブの外周に磁気テープを巻装した単一のリールがカートリッジケース内に回転可能に収容され、上記リールハブの内部に、非使用時に上記リールをロックして該リールの回転を禁止するロック部材が、ロック位置とロック解除位置との間でその軸線方向に移動可能に設けられるとともに、このロック部材との係合によって、上記ロック部材の軸線周りの回動と、このロック部材の傾きとを規制する規制部材が上記カートリッジケースの内壁面に突設されてなる磁気テープカートリッジにおいて、上記ロック部材が上記規制部材を係入させる十字状溝を形成する係合壁部を備え、該係合壁部は、十字状溝の四方に延びる各枝部内面の垂直面で形成された先端壁面および側壁面と、十字状溝の中心部における４個の枝部の間に、該ロック部材の軸線を中心にした円筒面の一部で形成された４個の内壁面とを備え、一方、前記規制部材が、前記ロック部材の前記４個の内壁面内に嵌入し得る円筒体と、該円筒体から四方に十字状に延出し、先端に前記十字状溝の前記先端壁面に対向する壁面と、前記十字状溝の前記側壁面に対向する壁面とをそれぞれ有する４個のリブとを備え、前記規制部材の前記円筒体の外周面が前記ロック部材の前記内壁面に係合し、前記規制部材の前記各壁面が前記ロック部材の前記先端壁面および側壁面に係合することを特徴とするものである。
【００２１】
【発明の効果】
上記ロック部材がその軸線を中心にした十字状溝を備えている場合に、上記ロック部材の十字状溝の中心部には、十字状溝の４個の枝部に対して軸線の周りに４５°ずれた位置に４個の稜線または壁面が形成される。本発明によれば、上記規制部材が、上記ロック部材の十字状溝の先端部に係合する係合面を備えていることに加えて、上記十字状溝の中心部に係合する壁面を備えていることにより、斜め４５°の方向の垂直面内でのロック部材の傾きをも規制することができ、これにより、ロック部材の軸線の略全方向の傾きを規制することが可能になる。
【００２２】
その場合に、ロック部材と規制部材の双方の係合面を、略同一曲率半径を有する円筒面とすることにより、斜め４５°の方向を中心とした所定の角度範囲の方向の垂直面内でのロック部材の傾きを規制することができる。
【００２３】
【発明の実施の形態】
以下、図面を参照して本発明の好ましい実施の形態について詳細に説明する。図１は本発明による磁気テープカートリッジの一実施の形態において、ドライブ装置側の回転駆動部材がチャッキングされる以前の不使用状態を示す断面図である。また図２は、図１の磁気テープカートリッジのチャッキング後の使用状態を示す要部断面図、図３は図２のＡ−Ａ線に沿った断面平面図である。
【００２４】
図１において、磁気テープカートリッジ１のカートリッジケース３は、上ケース３１と、中心部に開口３２ａを備えて上記上ケース３１にビス等により締結された下ケース３２とからなり、このカートリッジケース３内に、磁気テープ（図示省略）を巻装した単一のリール２が回転可能に収容され、さらに、リール２の中心孔内に、非使用時にはリール２をロックしてリール２の回転を禁止するリールロック機構１０が収容されている。
【００２５】
上記リール２は、磁気テープが外周に巻回される有底円筒状のリールハブ２１と、このリールハブ２１の上下端外周からそれぞれ径方向に円盤状に張り出した下フランジ２２および上フランジ２３とからなり、リールハブ２１と下フランジ２２とは合成樹脂材料により一体成形され、同じく合成樹脂材料からなる上フランジ２３は、リールハブ２１の上端に嵌着された状態で、例えば超音波溶着によりリールハブ２１に固着されている。
【００２６】
リールハブ２１は中心側下部が底壁２１ａにより閉塞され、この底壁２１ａの下面外周部には、ドライブ装置側の回転駆動部材１１の駆動ギヤ１３と噛合するリールギヤ２４が環状に刻設され、このリールギヤ２４より内周側にはマグネット式吸引用の環状金属板からなるリールプレート２５がインサート成形により取り付けられている。上記リール２のリールギヤ２４およびリールプレート２５は、カートリッジケース３の底面の開口３２ａに臨むように配置されている。なお、リール２は後述のリールロック機構１０の付勢部材（コイルスプリング）５により下方に付勢されて、下フランジ２２が下ケース３２に押し付けられている。
【００２７】
一方、ドライブ装置側の回転駆動部材１１は、回転シャフト１２の上端に固定された円盤部１５の上面に環状の駆動ギヤ１３とマグネット（図示せず）とを備えている。
【００２８】
上記回転駆動部材１１のチャッキング動作は、図示しないドライブ装置側のバケットに装填された磁気テープカートリッジ１が回転シャフト１２に向かって下降して、上記駆動ギヤ１３が上記リールギヤ２４に噛合するとともに、マグネットにより上記リールプレート２５を吸引して噛合状態を保持することによって行なわれる。
【００２９】
次に、上記リールロック機構１０の機構について説明する。
【００３０】
このリールロック機構１０は、ロック位置とロック解除位置との間でリール２の軸線方向に移動可能なロック部材４と、このロック部材４をロック方向に付勢するコイルスプリング５と、上記ロック部材４をロック解除方向に移動させる解除部材６とを備えている。
【００３１】
リール２の底壁２１ａには、上記リールギヤ２４が形成されている部分を上下方向に貫通する３個の透孔２６（図３参照）が同一円周上に等間隔を保って配設され、さらに、底壁２１ａの上面には上記透孔２６の間の部位に３組６個の係止突起２７が同一円周上に等間隔を保って一体に立設され、この係止突起２７の先端にはロック歯２９が形成されている。なお、上記透孔２６および係止突起２７は３個或いは３組以上配置してもよく、係止突起２７の先端のロック歯２９は単一のギヤ歯形状としてもよい。
【００３２】
合成樹脂材料で形成されたロック部材４は、図５（ａ），（ｂ）に示したものと同様の構成を有し、その円盤部４１の下面外周部に、外周側の歯丈が高くなるように円環状に刻設されたロック歯４２を備えている。円盤部４１の下面中心部は凸面状に突出して解除部材６に対する摺接部４１ａを形成している。
【００３３】
ロック部材４の円盤部４１の上面には規制部材３に対する係合壁部４４が突設され、この係合壁部４４は、十字状の平面形状を有する溝４５を形成している。この十字状溝４５の四方に延びる各枝部の内壁面は軸線Ｌと略平行な垂直面を形成しており、軸線Ｌを中心とする円弧状の平面形状を有する先端壁面４４ａと、互いに略平行な側壁面４４ｂ，４４ｂとを備えている。また、十字状溝４５の中心部には、軸線Ｌを中心にした円筒面の一部を形成する互いに分離した４個の壁面４４ｃがそれぞれ隣接する枝部間に存在している。
【００３４】
さらに円盤部４１の上面には、円盤部４１と同心的な突縁４７が係合壁部４４を取り囲んで形成され、この突縁４７と係合壁部４４との間が、ロック部材４を下方へ付勢するコイルスプリング５の受け面となっている。
【００３５】
一方、カートリッジケースの上ケース３１の下面に一体に垂設されている規制部材３３は、図４（ａ），（ｂ）に示すように、ロック部材４の十字状溝４５の中心部において４個に分割された円筒面を形成する内壁面４４ｃ内に嵌入し得る円筒体３３ｃと、この円筒体３３ｃから四方に十字状に延出する４個のリブ３３ｄとを備え、各リブ３３ｄの先端は横方向に膨出して、ロック部材４の十字状溝４５の各枝部の先端の壁面４４ａに対向する壁面３３ｅと、十字状溝４５の各枝部の両側壁面４４ｂ，４４ｂにそれぞれ対向する壁面３３ｆ，３３ｆとを形成している。
【００３６】
したがって、図４（ｃ）に示すように、規制部材３３の各リブ３３ｄの先端両側の壁面３３ｆ，３３ｆがＢ点およびＣ点で十字状溝４５の枝部側壁面４４ｂ，４４ｂと係合して、ロック部材４の軸線Ｌ周りの回動を規制するとともに、各リブ３３ｄの先端壁面３３ｅがＡ点でロック部材４の十字状溝４５の先端壁面４４ａに係合し、かつ規制部材３３の円筒体３３ｃの外周面がロック部材４の中心部に斜め４５°方向に存在する４個の内壁面４４ｃにそれぞれＤ点で係合することによって、ロック部材４の略全方向の傾きを規制している。
【００３７】
さらに、規制部材３３の周囲には、ロック部材４の突縁４７と略同径の突縁３４が環状に形成され、この突縁３４の内側が、ロック部材４を下方へ付勢するコイルスプリング５の受け面となっている。
【００３８】
また、上記解除部材６は、上記ロック部材４とリールハブ２１の底壁２１ａとの間に上下移動可能に介装され、略三角形状の板状本体部６１の各頂点近傍下面には下方に延びる円柱状の脚部６３が設けられている。各脚部６３は、上記リール２の底壁２１ａに開口した透孔２６にそれぞれ移動可能に挿通され、その先端はリール２下面のリールギヤ２４の歯部に臨んで位置する。その際、上記係止突起２７は各脚部６３の間で本体部６１の外側に位置する。なお、上記脚部６３は角柱状、楕円柱状等に形成してもよい。
【００３９】
上記解除部材６の最下降位置（図１）では、脚部６３の先端がリールギヤ２４から突出し、このリールギヤ２４にドライブ装置側の回転駆動部材１１のチャッキング動作により駆動ギヤ１３が噛合するのに伴って解除部材６が上方へ押圧され所定のストローク量で押し上げられるようになっている（図２）。そして、駆動ギヤ１３によってリール２も若干上方へ押し上げられて、下ケース３２から離れる。上記解除部材６は、脚部６３の透孔２６への嵌合によりリール２と一体に回転する。
【００４０】
上記リール２の内周面には、リール２の軸線方向に延びる多数のリブ２８がリール２の周方向に所定の間隔を保って形成されている。これらリブ２８のうちの一部は、解除部材６の脚部６３を透孔２６に挿入する際に解除部材６を挿入方向に案内すべくガイドリブとして作用し、残りのリブはリールハブ２１の補強リブとして作用する。
【００４１】
次に、上記リールロック機構１０の作用を説明すると、図１に示す磁気テープカートリッジ１の保管時等の不使用状態では、コイルスプリング５の付勢力によって、ロック部材４、解除部材６並びにリール２がカートリッジケース３の下ケース３２側に移動しており、下ケース３２中心部の開口３２ａはリール２によって閉塞される。解除部材６はその下面がリールハブ２１の底壁２１ａ上面に当接した最下降状態にあり、その脚部６３は先端部がリールギヤ２４の歯先よりに突出している。解除部材６の上面に当接しているロック部材４も、規制部材３３によって軸線Ｌ周りの回動を規制された状態で下降位置にあり、そのロック歯４２が係止突起２７先端のロック歯２９に噛合して不使用時におけるリール２の回転を禁止し、磁気テープの引き出しを阻止するロック状態にある。
【００４２】
一方、磁気テープカートリッジ１がドライブ装置に装填された図２のカートリッジ使用状態では、回転駆動部材１１の回転シャフト１２先端の円盤部１５がリール２の底面に接近して駆動ギヤ１３がリールギヤ２４に噛合し、リール２を若干上方に移動させて保持するとともに、上記駆動ギヤ１３の歯先が解除部材６の脚部６３の先端に当接してこれを押し上げる。これに伴い、解除部材６が付勢部材５の付勢力に抗して上方へ移動し、この解除部材６と一体にロック部材４も上方のロック解除方向へ移動する。これによりロック歯４２，２９同士の係合が解除され、リール２が回転自在とされる。そして、ドライブ装置によって磁気テープのロード／アンロードが行われる。
【００４３】
以上の説明で明らかなように、本実施の形態においては、規制部材３３が、ロック部材４の十字状溝４５の各先端壁面４４ａに係合する壁面３３ｅを備えていることに加えて、十字状溝４５の枝部間に存在する中心部の４個の壁面４４ｃに係合する外周面を有する円筒体３３ｃを備えていることにより、斜め４５°を中心した方向の垂直面内でのロック部材４の傾きをも規制することができ、これにより、ロック部材４の軸線Ｌの略全方向の傾きを規制することが可能になる。
【図面の簡単な説明】
【図１】本発明による磁気テープカートリッジの一実施の形態の不使用状態を示す断面図
【図２】図１の磁気テープカートリッジの使用状態を示す要部断面図
【図３】図２のＡ−Ａ線に沿った断面図
【図４】図４（ａ），（ｂ）は図１および図２に示す規制部材の底面図および断面図、図４（ｃ）はそのロック部材との係合状態を規制部材を断面として示す平面図
【図５】図５（ａ），（ｂ）は、ロック部材の平面図およびその断面図、図５（ｃ），（ｄ）は従来の磁気テープカートリッジが備えている規制部材の底面図および断面図、図５（ｅ）はロック部材と規制部材との係合状態を規制部材を断面として示す平面図
【符号の説明】
１    磁気テープカートリッジ
２    リール
３    カートリッジケース
４    ロック部材
５    付勢部材
６    解除部材
１０    リールロック機構
１１    回転駆動部材
１３    駆動ギヤ
２１    リールハブ
２４    リールギヤ
２７    係止突起
２８    リブ
２９，４２    ロック歯
３３    規制部材
４１    ロック部材の円盤部
４４    係合壁部
４５    十字状溝
【図１】
0004153177.tif 000002
【図２】
0004153177.tif 000003
【図３】
0004153177.tif 000004
【図４】
0004153177.tif 000005
【図５】
0004153177.tif 000006